(57)【要約】【課題】操作対象物に対する操作を意図していない可能性が高い場合に省電力モードを解除し難くすることにより、省電力の効果を十分に得ること。【解決手段】携帯端末装置１００は、操作対象物を無線により操作する。記憶部１０４は、時間情報と閾値とを対応付けたテーブルを予め記憶する。センサ部１０２は、歩数を計測する。時計部１０１は、現在の時間情報を取得する。無線操作判定部１０５は、テーブルを参照して、時計部１０１により取得した時間情報に対応付けられている閾値を選択し、選択した閾値とセンサ部１０２により取得した歩数との比較結果に基づいて省電力モードを解除するか否かを判定する。無線制御部１０７は、無線操作判定部１０５により省電力モードを解除するものと判定した場合には起動して操作対象物を無線により操作可能にする。【選択図】図１
2014168113.tif 000002
【特許請求の範囲】
【請求項１】
操作対象物を無線により操作する携帯端末装置であって、
時間情報、位置情報若しくは歩行パターンと閾値とを対応付けたテーブルを予め記憶する記憶手段と、
前記携帯端末装置の移動によって変化するパラメータを取得する第１の取得手段と、
現在の時間情報、位置情報若しくは歩行パターンを取得する第２の取得手段と、
前記テーブルを参照して、前記第２の取得手段により取得した時間情報、位置情報若しくは歩行パターンに対応付けられている前記閾値を選択し、選択した前記閾値と前記第１の取得手段により取得した前記パラメータとの比較結果に基づいて省電力モードを解除するか否かを判定する制御手段と、
前記制御手段により前記省電力モードを解除するものと判定した場合には起動して前記操作対象物を無線により操作可能にする通信手段と、
を具備する携帯端末装置。
【請求項２】
前記第１の取得手段は、
歩数を前記パラメータとして取得する歩数計であり、
前記制御手段は、
選択した前記閾値と前記歩数との比較結果に基づいて省電力モードを解除するか否かを判定する、
請求項１記載の携帯端末装置。
【請求項３】
前記第１の取得手段は、
前記操作対象物の周辺の通信相手から受信した信号の受信レベルを前記パラメータとして取得し、
前記制御手段は、
選択した前記閾値と前記受信レベルとの比較結果に基づいて省電力モードを解除するか否かを判定する、
請求項１記載の携帯端末装置。
【請求項４】
前記第２の取得手段は、
加速度または地磁気の変化を検出することにより歩行パターンを取得する、
請求項１記載の携帯端末装置。
【請求項５】
前記操作対象物を操作する際に送信するコマンドを生成する生成手段と、
前記生成手段により前記コマンドを生成した際の時間情報、位置情報若しくは歩行パターンを取得し、前記コマンドを生成した場合の時間情報、位置情報若しくは歩行パターンに対応付ける閾値を、前記コマンドを生成しない場合の時間情報、位置情報若しくは歩行パターンに対応付ける閾値よりも小さくする前記テーブルを作成する学習手段と、
をさらに具備し、
前記通信手段は、
起動後に前記生成手段により生成した前記コマンドを送信し、
前記記憶手段は、
前記学習手段により作成した前記テーブルを記憶する、
請求項１記載の携帯端末装置。
【請求項６】
操作対象物を無線により操作する携帯端末装置における省電力制御方法であって、
前記携帯端末装置の移動によって変化するパラメータを取得する第１の取得ステップと、
現在の時間情報、位置情報若しくは歩行パターンを取得する第２の取得ステップと、
時間情報、位置情報若しくは歩行パターンと閾値とを対応付けたテーブルを参照して、前記第２の取得ステップにより取得した時間情報、位置情報若しくは歩行パターンに対応付けられている前記閾値を選択し、選択した前記閾値と前記第１の取得ステップにより取得した前記パラメータとの比較結果に基づいて省電力モードを解除するか否かを判定する制御ステップと、
を具備する省電力制御方法。
【請求項７】
コンピュータに、
携帯端末装置の移動によって変化するパラメータを取得する第１の取得ステップと、
現在の時間情報、位置情報若しくは歩行パターンを取得する第２の取得ステップと、
時間情報、位置情報若しくは歩行パターンと閾値とを対応付けたテーブルを参照して、前記第２の取得ステップにより取得した時間情報、位置情報若しくは歩行パターンに対応付けられている前記閾値を選択し、選択した前記閾値と前記第１の取得ステップにより取得した前記パラメータとの比較結果に基づいて省電力モードを解除するか否かを判定する制御ステップと、
を実行させるプログラム。
【発明の詳細な説明】
【技術分野】
【０００１】
本発明は、操作対象物を無線により操作する携帯端末装置、省電力制御方法及びプログラムに関する。
【背景技術】
【０００２】
従来、使用者が望むときに速やかに節電モードから通常モードへ移行することができる携帯端末装置が知られている（例えば、特許文献１）。
【０００３】
特許文献１の携帯端末装置は、振動センサを有し、節電モードにあるときに振動センサにより検出された振動が予め定められた特徴を備えている場合に、節電モードを解除して通常モードに移行する。
【先行技術文献】
【特許文献】
【０００４】
【特許文献１】特開２００３−２４４０６６号公報
【発明の概要】
【発明が解決しようとする課題】
【０００５】
しかしながら、特許文献１においては、携帯端末装置の使用を意図していない場合であっても、振動センサにより検出した振動が予め定められた特徴を備えていれば節電モードを解除するので、省電力の効果を十分に得られないという問題がある。
【０００６】
本発明の目的は、操作対象物に対する操作を意図していない可能性が高い場合に省電力モードを解除し難くすることにより、省電力の効果を十分に得ることができる携帯端末装置、省電力制御方法及びプログラムを提供することである。
【課題を解決するための手段】
【０００７】
本発明に係る携帯端末装置は、操作対象物を無線により操作する携帯端末装置であって、時間情報、位置情報若しくは歩行パターンと閾値とを対応付けたテーブルを予め記憶する記憶手段と、前記携帯端末装置の移動によって変化するパラメータを取得する第１の取得手段と、現在の時間情報、位置情報若しくは歩行パターンを取得する第２の取得手段と、前記テーブルを参照して、前記第２の取得手段により取得した時間情報、位置情報若しくは歩行パターンに対応付けられている前記閾値を選択し、選択した前記閾値と前記第１の取得手段により取得した前記パラメータとの比較結果に基づいて省電力モードを解除するか否かを判定する制御手段と、前記制御手段により前記省電力モードを解除するものと判定した場合には起動して前記操作対象物を無線により操作可能にする通信手段と、を具備する。
【０００８】
本発明に係る省電力制御方法は、操作対象物を無線により操作する携帯端末装置における省電力制御方法であって、前記携帯端末装置の移動によって変化するパラメータを取得する第１の取得ステップと、現在の時間情報、位置情報若しくは歩行パターンを取得する第２の取得ステップと、時間情報、位置情報若しくは歩行パターンと閾値とを対応付けたテーブルを参照して、前記第２の取得ステップにより取得した時間情報、位置情報若しくは歩行パターンに対応付けられている前記閾値を選択し、選択した前記閾値と前記第１の取得ステップにより取得した前記パラメータとの比較結果に基づいて省電力モードを解除するか否かを判定する制御ステップと、を具備する。
【０００９】
本発明に係るプログラムは、コンピュータに、携帯端末装置の移動によって変化するパラメータを取得する第１の取得ステップと、現在の時間情報、位置情報若しくは歩行パターンを取得する第２の取得ステップと、時間情報、位置情報若しくは歩行パターンと閾値とを対応付けたテーブルを参照して、前記第２の取得ステップにより取得した時間情報、位置情報若しくは歩行パターンに対応付けられている前記閾値を選択し、選択した前記閾値と前記第１の取得ステップにより取得した前記パラメータとの比較結果に基づいて省電力モードを解除するか否かを判定する制御ステップと、を実行させる。
【発明の効果】
【００１０】
本発明によれば、操作対象物に対する操作を意図していない可能性が高い場合に省電力モードを解除し難くすることにより、省電力の効果を十分に得ることができる。
【図面の簡単な説明】
【００１１】
【図１】本発明の実施の形態１に係る携帯端末装置の構成を示すブロック図
【図２】本発明の実施の形態１におけるテーブルを示す図
【図３】本発明の実施の形態１における閾値を示す図
【図４】本発明の実施の形態１における閾値「高」が選択された場合の省電力モードの解除のタイミングを示す図
【図５】本発明の実施の形態１における閾値「低」が選択された場合の省電力モードの解除のタイミングを示す図
【図６】本発明の実施の形態２に係る携帯端末装置の構成を示すブロック図
【図７】本発明の実施の形態２におけるテーブルを示す図
【図８】本発明の実施の形態３に係る携帯端末装置の構成を示すブロック図
【図９】本発明の実施の形態３におけるテーブルを示す図
【図１０】本発明の実施の形態３における省電力モードの解除のタイミングを示す図
【図１１】本発明の実施の形態４に係る携帯端末装置の構成を示すブロック図
【図１２】本発明の実施の形態４における閾値を示す図
【図１３】本発明の実施の形態４における閾値「高」が選択された場合の省電力モードの解除のタイミングを示す図
【図１４】本発明の実施の形態４における閾値「低」が選択された場合の省電力モードの解除のタイミングを示す図
【図１５】本発明の実施の形態５に係る携帯端末装置の構成を示すブロック図
【図１６】本発明の実施の形態６に係る携帯端末装置の構成を示すブロック図
【発明を実施するための形態】
【００１２】
以下、本発明の実施の形態について、図面を参照して詳細に説明する。
【００１３】
（実施の形態１）
＜携帯端末装置の構成＞
本発明の実施の形態１に係る携帯端末装置１００の構成について、図１を用いて説明する。
【００１４】
携帯端末装置１００は、時計部１０１と、センサ部１０２と、学習部１０３と、記憶部１０４と、無線操作判定部１０５と、省電力制御部１０６と、無線制御部１０７と、アンテナ１０８とから主に構成されている。
【００１５】
時計部１０１は、時間を計測するとともに現在の曜日を判定する。時計部１０１は、現在の時刻及び曜日を含む時間情報を学習部１０３及び無線操作判定部１０５に出力する。
【００１６】
センサ部１０２は、携帯端末装置１００を保有するユーザが静止した状態から歩き始めた際の歩数を計測して無線操作判定部１０５に出力する。センサ部１０２は、携帯端末装置１００の静止した状態が所定時間継続した際に、計測した歩数をリセットする。
【００１７】
学習部１０３は、時計部１０１から入力される時間情報と無線制御部１０７から入力されるコマンドとに基づいて、時間情報と閾値とを対応付けたテーブルを作成する。学習部１０３は、作成したテーブルを記憶部１０４に記憶させる。なお、テーブルについては後述する。
【００１８】
記憶部１０４は、学習部１０３から入力されたテーブルを記憶する。
【００１９】
無線操作判定部１０５は、記憶部１０４に記憶されているテーブルを参照して、時計部１０１から入力された現在の時間情報に対応付けられている閾値を選択する。無線操作判定部１０５は、センサ部１０２から入力された歩数と閾値との比較結果に基づいて、省電力モードを解除するか否かを判定する。無線操作判定部１０５は、省電力モードを解除するか否かの判定結果を省電力制御部１０６に出力する。ここで、センサ部１０２から入力された歩数は、携帯端末装置１００の移動によって変化するパラメータである。
【００２０】
省電力制御部１０６は、所定時間内に無線制御部１０７が動作していない場合に、無線制御部１０７に対して省電力モードに移行する制御を行う。省電力制御部１０６は、省電力モードを解除する判定結果が無線操作判定部１０５より入力された場合に、無線制御部１０７に対して省電力モードを解除して通常モードに移行する制御を行う。省電力制御部１０６は、省電力モードを解除しない判定結果が無線操作判定部１０５より入力された場合に、無線制御部１０７に対して省電力モードを維持する制御を行う。
【００２１】
無線制御部１０７は、省電力制御部１０６の制御に従って、通常モードまたは省電力モードになる。無線制御部１０７は、省電力モードから起動して通常モードに移行する。無線制御部１０７は、通常モードにおいて、操作対象物を操作するためのコマンドを生成する。無線制御部１０７は、生成したコマンドを学習部１０３に出力するとともにアンテナ１０８を介して操作対象物に対して無線で送信する。これにより、携帯端末装置１００は、操作対象物を操作することができる。
【００２２】
＜テーブル＞
本発明の実施の形態１における記憶部１０４において記憶しているテーブルについて、図２及び図３を用いて説明する。なお、図２において、「低」は「高」よりも値の小さい閾値であることを示す。
【００２３】
学習部１０３は、テーブルを作成する際に、無線制御部１０７によりコマンドを生成した曜日の時間帯に対応付ける閾値を、無線制御部１０７によりコマンドを生成しない曜日の時間帯に対応付けられる閾値よりも小さくする。
【００２４】
例えば、学習部１０３は、月曜日から金曜日の６：００から９：００、土曜日及び日曜日の９：００から１２：００、月曜日から日曜日の１２：００から１５００及び１８：００から２１：００、及び、土曜日及び日曜日の１５：００から１８：００に無線制御部１０７においてコマンドを生成した場合には、上記曜日の時間帯に対応付ける閾値を、上記以外の曜日及び時間帯に対応付ける閾値よりも小さくする。
【００２５】
即ち、図２のテーブルにおいて、閾値「低」の曜日の時間帯は、携帯端末装置１００よりコマンドを送信しており、操作対象物を操作したことを示している。一方、図２のテーブルにおいて、閾値「高」の曜日の時間帯は、携帯端末装置１００よりコマンドを送信しておらず、操作対象物から離れた場所に居る等のため、操作対象物を操作していないことを示している。
【００２６】
テーブルに設定される閾値は、例えば図３に示すように、「高」の閾値として１００歩、「低」の閾値として１０歩である。
【００２７】
上記より、無線操作判定部１０５は、図２のテーブルを参照して、操作対象物を操作する可能性が高い曜日の時間帯には閾値「低」を選択し、操作対象物を操作する可能性が低い曜日の時間帯には閾値「高」を選択する。
【００２８】
＜省電力モードの解除のタイミング＞
本発明の実施の形態１における省電力モードを解除するタイミングについて、図４及び図５を用いて説明する。
【００２９】
図４より、無線操作判定部１０５が閾値「高」を選択した場合、スタート地点Ｓ１から操作対象物４００に向かって１００歩歩くことにより操作対象物４００に到達した際に省電力モードが解除される。一方、スタート地点Ｓ１から操作対象物４００に向かって歩いたものの、途中で引き返した場合、歩いた歩数は１００歩未満であるため、省電力モードは解除されない。
【００３０】
上記より、操作対象物４００を操作する可能性の低い曜日の時間帶には、閾値を「高」とすることにより省電力モードを解除し難くする。これにより、操作対象物４００に到達するまで省電力モードを解除しないので、操作対象物４００を操作する目的以外で操作対象物４００に向かって歩いた場合に、省電力モードが解除されてしまうことを防ぐことができる。
【００３１】
また、図５より、無線操作判定部１０５が閾値「低」を選択した場合、スタート地点Ｓ１から操作対象物４００に向かって１０歩歩いた際に省電力モードが解除される。一方、スタート地点Ｓ１から操作対象物４００に向かって１０歩歩くことにより省電力モードが解除された後、途中で立ち止まったために再び省電力モードになった場合であっても、再び１０歩歩いた際に省電力モードが解除される。
【００３２】
上記より、操作対象物４００を操作する可能性が高い曜日の時間帶には、閾値を「低」とすることにより省電力モードを解除し易くする。これにより、操作対象物４００に到達する大分手前で省電力モードを解除して、操作対象物４００を遠くから操作可能にすることができる。また、例えば、操作対象物４００に向かう途中で立ち止まったために再び省電力モードになった場合、再び少ない歩数歩くだけで省電力モードが解除されるので、操作対象物４００に到達するまでの行動パターンに関わらず、操作対象物４００を操作可能にすることができる。
【００３３】
＜実施の形態１の効果＞
本実施の形態では、時間情報と閾値とを対応付けたテーブルを参照して、現在の時間情報に対応付けられている閾値を選択し、選択した閾値と歩数との比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【００３４】
（実施の形態２）
＜携帯端末装置の構成＞
本発明の実施の形態２に係る携帯端末装置６００の構成について、図６を用いて説明する。
【００３５】
図６に示す携帯端末装置６００は、図１に示す実施の形態１に係る携帯端末装置１００と比較して、時計部１０１を除き、位置検出部６０１を追加し、学習部１０３の代わりに学習部６０２を有し、無線操作判定部１０５の代わりに無線操作判定部６０３を有している。なお、図６において、図１と同一構成である部分には同一の符号を付してその説明を省略する。
【００３６】
携帯端末装置６００は、センサ部１０２と、記憶部１０４と、省電力制御部１０６と、無線制御部１０７と、アンテナ１０８と、位置検出部６０１と、学習部６０２と、無線操作判定部６０３とから主に構成されている。
【００３７】
位置検出部６０１は、現在の位置情報を取得し、取得した位置情報を学習部６０２及び無線操作判定部６０３に出力する。
【００３８】
学習部６０２は、位置検出部６０１から入力される位置情報と無線制御部１０７から入力されるコマンドとに基づいて、位置情報と閾値とを対応付けたテーブルを作成する。学習部６０２は、作成したテーブルを記憶部１０４に記憶させる。なお、テーブルについては後述する。
【００３９】
記憶部１０４は、学習部６０２から入力されたテーブルを記憶する。
【００４０】
センサ部１０２は、歩数計の機能を有し、携帯端末装置６００を保有するユーザが静止した状態から歩き始めた際の歩数を計測して無線操作判定部６０３に出力する。センサ部１０２は、携帯端末装置６００のユーザが静止してから所定時間経過した際に、計測した歩数をリセットする。
【００４１】
無線操作判定部６０３は、記憶部１０４に記憶されているテーブルを参照して、位置検出部６０１から入力された現在の位置情報に対応付けられている閾値を選択する。無線操作判定部６０３は、センサ部１０２から入力された歩数と閾値との比較結果に基づいて、省電力モードを解除するか否かを判定する。無線操作判定部６０３は、省電力モードを解除するか否かの判定結果を省電力制御部１０６に出力する。
【００４２】
省電力制御部１０６は、所定時間内に無線制御部１０７が動作していない場合に、無線制御部１０７に対して省電力モードに移行する制御を行う。省電力制御部１０６は、省電力モードを解除する判定結果が無線操作判定部６０３より入力された場合に、無線制御部１０７に対して省電力モードを解除して通常モードに移行する制御を行う。省電力制御部１０６は、省電力モードを解除しない判定結果が無線操作判定部６０３より入力された場合に、無線制御部１０７に対して省電力モードを維持する制御を行う。
【００４３】
無線制御部１０７は、生成したコマンドを学習部６０２に出力するとともにアンテナ１０８を介して操作対象物に対して無線で送信する。これにより、携帯端末装置６００は、操作対象物を操作することができる。なお、無線制御部１０７における上記以外の構成は上記実施の形態１と同一であるので、その説明を省略する。
【００４４】
＜テーブル＞
本発明の実施の形態２における記憶部１０４において記憶しているテーブルについて、図７を用いて説明する。図７（ａ）は、位置情報と平均操作間隔とを対応付けたテーブルを示す。図７（ｂ）は、平均操作間隔と閾値とを対応付けたテーブルを示す。図７（ｃ）は、位置情報と閾値とを対応付けたテーブルを示す。なお、図７（ｂ）、（ｃ）において、「低」は「高」よりも値の小さい閾値であることを示す。
【００４５】
学習部６０２は、図７（ａ）に示すように、無線制御部１０７によりコマンドを生成した位置と、その位置において操作対象物を操作する間隔の平均値である平均操作間隔とを対応付けたテーブルを作成する。
【００４６】
また、学習部６０２は、図７（ｂ）に示すように、平均操作間隔が１時間未満を閾値「低」とし、平均操作間隔が１時間以上を閾値「高」とするテーブルを参照して、位置情報と閾値とを対応付けたテーブルを作成する。即ち、学習部６０２は、図７（ｃ）に示すように、平均操作間隔が１時間未満である位置Ａに携帯端末装置６００が存在する場合に閾値「低」を設定し、平均操作間隔が１時間以上である位置Ｂ、Ｃに携帯端末装置６００が存在する場合に閾値「高」を設定するようなテーブルを作成する。
【００４７】
なお、テーブルに設定される閾値は、例えば図３と同様に、「高」の閾値として１００歩、「低」の閾値として１０歩である。また、本実施の形態における省電力モードの解除のタイミングは、時間情報の代わりに位置情報を用いる以外は図４及び図５と同一であるので、その説明を省略する。
【００４８】
＜実施の形態２の効果＞
本実施の形態では、位置情報と閾値とを対応付けたテーブルを参照して、現在の位置情報に対応付けられている閾値を選択し、選択した閾値と歩数との比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【００４９】
（実施の形態３）
＜携帯端末装置の構成＞
本発明の実施の形態３に係る携帯端末装置８００の構成について、図８を用いて説明する。
【００５０】
図８に示す携帯端末装置８００は、図１に示す実施の形態１に係る携帯端末装置１００と比較して、時計部１０１を除き、センサ部１０２の代わりにセンサ部８０１を有し、学習部１０３の代わりに学習部８０２を有し、無線操作判定部１０５の代わりに無線操作判定部８０３を有している。なお、図８において、図１と同一構成である部分には同一の符号を付してその説明を省略する。
【００５１】
携帯端末装置８００は、記憶部１０４と、省電力制御部１０６と、無線制御部１０７と、アンテナ１０８と、センサ部８０１と、学習部８０２と、無線操作判定部８０３とから主に構成されている。
【００５２】
センサ部８０１は、歩数計の機能を有し、携帯端末装置８００を保有するユーザが静止した状態から歩き始めた際の歩数を計測して無線操作判定部８０３に出力する。センサ部８０１は、携帯端末装置８００の静止した状態が所定時間継続した際に、計測した歩数をリセットする。
【００５３】
センサ部８０１は、歩数計の機能に加えて、加速度センサまたは地磁気センサの機能を有し、加速度または地磁気の変化を検出し、加速度または地磁気の変化の検出結果を学習部８０２及び無線操作判定部８０３に出力する。
【００５４】
学習部８０２は、センサ部８０１から入力される加速度または地磁気の変化の検出結果に基づいて歩行パターンを推定する。学習部８０２は、推定した歩行パターンと無線制御部１０７から入力されるコマンドとに基づいて、歩行パターンと閾値とを対応付けたテーブルを作成する。学習部８０２は、作成したテーブルを記憶部１０４に記憶させる。なお、テーブルについては後述する。
【００５５】
記憶部１０４は、学習部８０２から入力されたテーブルを記憶する。
【００５６】
無線操作判定部８０３は、記憶部１０４に記憶されているテーブルを参照して、センサ部８０１から入力された現在の加速度または地磁気の変化の検出結果より現在の歩行パターンを推定し、推定した歩行パターンに対応付けられている閾値を選択する。無線操作判定部８０３は、センサ部８０１から入力された歩数と閾値との比較結果に基づいて、省電力モードを解除するか否かを判定する。無線操作判定部８０３は、省電力モードを解除するか否かの判定結果を省電力制御部１０６に出力する。
【００５７】
省電力制御部１０６は、所定時間内に無線制御部１０７が動作していない場合に、無線制御部１０７に対して省電力モードに移行する制御を行う。省電力制御部１０６は、省電力モードを解除する判定結果が無線操作判定部８０３より入力された場合に、無線制御部１０７に対して省電力モードを解除して通常モードに移行する制御を行う。省電力制御部１０６は、省電力モードを解除しない判定結果が無線操作判定部８０３より入力された場合に、無線制御部１０７に対して省電力モードを維持する制御を行う。
【００５８】
無線制御部１０７は、生成したコマンドを学習部８０２に出力するとともにアンテナ１０８を介して操作対象物に対して無線で送信する。これにより、携帯端末装置８００は、操作対象物を操作することができる。なお、無線制御部１０７における上記以外の構成は上記実施の形態１と同一であるので、その説明を省略する。
【００５９】
＜テーブル＞
本発明の実施の形態３における記憶部１０４において記憶しているテーブルについて、図９を用いて説明する。なお、図９において、「低」は「高」よりも値の小さい閾値であることを示す。
【００６０】
学習部８０２は、図９に示すように、無線制御部１０７によりコマンドを生成した場合の歩行パターン１及び歩行パターン２に対応付ける閾値を「低」とし、無線制御部１０７によりコマンドを生成していない場合の歩行パターンに対応付ける閾値を「高」とするテーブルを作成する。
【００６１】
なお、テーブルに設定される閾値は、例えば図３と同様に、「高」の閾値として１００歩、「低」の閾値として１０歩である。
【００６２】
＜省電力モードの解除のタイミング＞
本発明の実施の形態３における省電力モードを解除するタイミングについて、図１０を用いて説明する。
【００６３】
学習部８０２は、センサ部８０１により検出した加速度または地磁気の変化に基づいて、例えば図１０に示すように、無線制御部１０７によりコマンドを生成した場合の歩行パターンとして、所定の方向に歩行した後にエレベータに乗り、その後再び所定の方向に歩行する歩行パターンを生成する。学習部８０２は、図１０の歩行パターンと「低」の閾値とを対応付ける。また、学習部８０２は、無線制御部１０７によりコマンドを生成してない場合の図１０の歩行パターン以外の歩行パターンと「高」の閾値とを対応付ける。図１０の歩行パターンとしては、例えば、自宅マンションからマンション外の操作対象物に向かう場合等が考えられる。
【００６４】
無線操作判定部８０３は、図１０の歩行パターンを検出した際には、歩数と「低」の閾値とを比較し、操作対象物の大分手前の時刻ｔ１のタイミングで省電力モードを解除する。また、無線操作判定部８０３は、図１０の歩行パターン以外の歩行パターンを検出した際には、歩数と「高」の閾値とを比較し、操作対象物に到達するまで省電力モードを解除しない。
【００６５】
上記より、図示しない操作対象物を操作する可能性の低い歩行パターンでは、閾値を「高」とすることにより省電力モードを解除し難くする。一方、操作対象物を操作する可能性が高い歩行パターンでは、閾値を「低」とすることにより省電力モードを解除し易くする。
【００６６】
＜実施の形態３の効果＞
本実施の形態では、歩行パターンと閾値とを対応付けたテーブルを参照して、現在の歩行パターンに対応付けられている閾値を選択し、選択した閾値と歩数との比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【００６７】
（実施の形態４）
＜携帯端末装置の構成＞
本発明の実施の形態４に係る携帯端末装置１１００の構成について、図１１を用いて説明する。
【００６８】
図１１に示す携帯端末装置１１００は、図１に示す実施の形態１に係る携帯端末装置１００と比較して、センサ部１０２を除き、無線操作判定部１０５の代わりに無線操作判定部１１０１を有し、無線制御部１０７の代わりに無線制御部１１０２を有している。なお、図１１において、図１と同一構成である部分には同一の符号を付してその説明を省略する。
【００６９】
携帯端末装置１１００は、時計部１０１と、学習部１０３と、記憶部１０４と、省電力制御部１０６と、アンテナ１０８と、無線操作判定部１１０１と、無線制御部１１０２とから主に構成されている。
【００７０】
時計部１０１は、時間を計測するとともに現在の曜日を判定する。時計部１０１は、現在の時刻及び曜日を含む時間情報を学習部１０３及び無線操作判定部１１０１に出力する。
【００７１】
学習部１０３は、時計部１０１から入力される時間情報と無線制御部１１０２から入力されるコマンドとに基づいて、時間情報と閾値とを対応付けたテーブルを作成する。学習部１０３は、作成したテーブルを記憶部１０４に記憶させる。なお、テーブルについては後述する。
【００７２】
無線操作判定部１１０１は、記憶部１０４に記憶されているテーブルを参照して、時計部１０１から入力された現在の時間情報に対応付けられている閾値を選択する。無線操作判定部１１０１は、無線制御部１１０２から入力された受信レベル情報と閾値との比較結果に基づいて、省電力モードを解除するか否かを判定する。無線操作判定部１１０１は、省電力モードを解除するか否かの判定結果を省電力制御部１０６に出力する。ここで、無線制御部１１０２から入力された受信レベル情報は、携帯端末装置１１００の移動によって変化するパラメータである。
【００７３】
省電力制御部１０６は、所定時間内に無線制御部１１０２が動作していない場合に、無線制御部１１０２に対して省電力モードに移行する制御を行う。省電力制御部１０６は、省電力モードを解除する判定結果が無線操作判定部１１０１より入力された場合に、無線制御部１１０２に対して省電力モードを解除して通常モードに移行する制御を行う。省電力制御部１０６は、省電力モードを解除しない判定結果が無線操作判定部１１０１より入力された場合に、無線制御部１１０２に対して省電力モードを維持する制御を行う。
【００７４】
無線制御部１１０２は、省電力制御部１０６の制御に従って、通常モードまたは省電力モードになる。無線制御部１１０２は、省電力モードから起動して通常モードに移行する。無線制御部１１０２は、通常モードにおいて、操作対象物を操作するためのコマンドを生成する。無線制御部１１０２は、生成したコマンドを学習部１０３に出力するとともにアンテナ１０８を介して操作対象物に対して無線で送信する。これにより、携帯端末装置１１００は、操作対象物を操作することができる。
【００７５】
無線制御部１１０２は、操作対象物の周辺の通信相手よりアンテナ１０８を介して信号を受信する。無線制御部１１０２は、通信相手より受信した受信信号の受信レベルを測定し、測定結果を受信レベル情報として無線操作判定部１１０１に出力する。
【００７６】
＜テーブル＞
本発明の実施の形態４における記憶部１０４において記憶しているテーブルについて、図１２を用いて説明する。なお、図１２において、「低」は「高」よりも値の小さい閾値であることを示す。なお、学習部１０３において作成する時間情報と閾値とを対応付けたテーブルは図２と同一であるので、その説明を省略する。
【００７７】
学習部１０３は、例えば図１２に示すように、「高」の閾値として−４０ｄＢｍ、「低」の閾値として−８０ｄＢｍを設定する。
【００７８】
＜省電力モードの解除のタイミング＞
本発明の実施の形態４における省電力モードを解除するタイミングについて、図１３及び図１４を用いて説明する。
【００７９】
図１３より、無線操作判定部１１０１は、閾値「高」を選択した場合において、例えば、操作対象物１３００の周辺の通信相手であるアクセスポイント１３０１からの受信レベルが−４０ｄＢｍ以下のエリアを携帯無線装置１１００が移動している場合には、省電力モードを解除しない。
【００８０】
上記より、操作対象物１３００を操作する可能性の低い曜日の時間帶には、閾値を「高」とすることにより省電力モードを解除し難くする。これにより、操作対象物１３００に到達するまで省電力モードを解除しないので、操作対象物１３００を操作する目的以外で操作対象物１３００の周囲を歩いた場合に、省電力モードが解除されてしまうことを防ぐことができる。
【００８１】
また、図１４より、無線操作判定部１１０１は、閾値「低」を選択した場合において、例えば、操作対象物１３００の周辺のアクセスポイント１３０１からの受信レベルが−８０ｄＢｍ以上のエリアに携帯端末装置１１００が入った場合には、省電力モードを解除する。
【００８２】
上記より、操作対象物１３００を操作する可能性が高い曜日の時間帶には、閾値を「低」とすることにより省電力モードを解除し易くする。これにより、操作対象物１３００に到達する大分手前で省電力モードを解除して、操作対象物１３００を遠くから操作可能にすることができる。
【００８３】
なお、通信相手は、アクセスポイントに限らず、何らかの信号を送信する任意の機器でよい。また、通信相手は、固定的に設置されているものに限らず、操作対象物の周辺において移動可能な機器であってもよい。
【００８４】
＜実施の形態４の効果＞
本実施の形態では、時間情報と閾値とを対応付けたテーブルを参照して、現在の時間情報に対応付けられている閾値を選択し、選択した閾値と操作対象物の周辺の通信相手からの受信レベルとの比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【００８５】
（実施の形態５）
＜携帯端末装置の構成＞
本発明の実施の形態５に係る携帯端末装置１５００の構成について、図１５を用いて説明する。
【００８６】
図１５に示す携帯端末装置１５００は、図１に示す実施の形態１に係る携帯端末装置１００と比較して、時計部１０１及びセンサ部１０２を除き、位置検出部１５０１を追加し、学習部１０３の代わりに学習部１５０２を有し、無線操作判定部１０５の代わりに無線操作判定部１５０３を有し、無線制御部１０７の代わりに無線制御部１５０４を有する。なお、図１５において、図１と同一構成である部分には同一の符号を付してその説明を省略する。
【００８７】
携帯端末装置１５００は、記憶部１０４と、省電力制御部１０６と、アンテナ１０８と、位置検出部１５０１と、学習部１５０２と、無線操作判定部１５０３と、無線制御部１５０４とから主に構成されている。
【００８８】
位置検出部１５０１は、現在の位置情報を取得し、取得した位置情報を学習部１５０２に出力する。
【００８９】
学習部１５０２は、位置検出部１５０１から入力される位置情報と無線制御部１５０４から入力されるコマンドとに基づいて、位置情報と閾値とを対応付けたテーブルを作成する。学習部１５０２は、作成したテーブルを記憶部１０４に記憶させる。
【００９０】
記憶部１０４は、学習部１５０２から入力されたテーブルを記憶する。
【００９１】
無線操作判定部１５０３は、記憶部１０４に記憶されているテーブルを参照して、位置検出部１５０１から入力された現在の位置情報に対応付けられている閾値を選択する。無線操作判定部１５０３は、無線制御部１５０４から入力された受信レベル情報と閾値との比較結果に基づいて、省電力モードを解除するか否かを判定する。無線操作判定部１５０３は、省電力モードを解除するか否かの判定結果を省電力制御部１０６に出力する。
【００９２】
省電力制御部１０６は、所定時間内に無線制御部１５０４が動作していない場合に、無線制御部１５０４に対して省電力モードに移行する制御を行う。省電力制御部１０６は、省電力モードを解除する判定結果が無線操作判定部１５０３より入力された場合に、無線制御部１５０４に対して省電力モードを解除して通常モードに移行する制御を行う。省電力制御部１０６は、省電力モードを解除しない判定結果が無線操作判定部１５０３より入力された場合に、無線制御部１５０４に対して省電力モードを維持する制御を行う。
【００９３】
無線制御部１５０４は、省電力制御部１０６の制御に従って、通常モードまたは省電力モードになる。無線制御部１５０４は、省電力モードから起動して通常モードに移行する。無線制御部１５０４は、通常モードにおいて、操作対象物を操作するためのコマンドを生成する。無線制御部１５０４は、生成したコマンドを学習部１５０２に出力するとともにアンテナ１０８を介して操作対象物に対して無線で送信する。これにより、携帯端末装置１５００は、操作対象物を操作することができる。
【００９４】
無線制御部１５０４は、操作対象物の周辺の通信相手よりアンテナ１０８を介して信号を受信する。無線制御部１５０４は、通信相手より受信した受信信号の受信レベルを測定し、測定結果を受信レベル情報として無線操作判定部１５０３に出力する。
【００９５】
なお、本実施の形態におけるテーブルは図７及び図１２と同一であるので、その説明を省略する。また、本実施の形態における省電力モードの解除のタイミングは、時間情報の代わりに位置情報を用いる以外は図１３及び図１４と同一であるので、その説明を省略する。
【００９６】
＜実施の形態５の効果＞
本実施の形態では、位置情報と閾値とを対応付けたテーブルを参照して、現在の位置情報に対応付けられている閾値を選択し、選択した閾値と操作対象物の周辺の通信相手からの受信レベルとの比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【００９７】
（実施の形態６）
＜携帯端末装置の構成＞
本発明の実施の形態６に係る携帯端末装置１６００の構成について、図１６を用いて説明する。
【００９８】
図１６に示す携帯端末装置１６００は、図１に示す実施の形態１に係る携帯端末装置１００と比較して、時計部１０１を除き、センサ部１０２の代わりにセンサ部１６０１を有し、学習部１０３の代わりに学習部１６０２を有し、無線操作判定部１０５の代わりに無線操作判定部１６０３を有し、無線制御部１０７の代わりに無線制御部１６０４を有している。なお、図１６において、図１と同一構成である部分には同一の符号を付してその説明を省略する。
【００９９】
センサ部１６０１は、加速度または地磁気の変化を検出し、加速度または地磁気の変化の検出結果を学習部１６０２及び無線操作判定部１６０３に出力する。
【０１００】
学習部１６０２は、センサ部１６０１から入力される加速度または地磁気の変化の検出結果に基づいて歩行パターンを推定する。学習部１６０２は、推定した歩行パターンと無線制御部１６０４から入力されるコマンドとに基づいて、歩行パターンと閾値とを対応付けたテーブルを作成する。学習部１６０２は、作成したテーブルを記憶部１０４に記憶させる。
【０１０１】
記憶部１０４は、学習部１６０２から入力されたテーブルを記憶する。
【０１０２】
無線操作判定部１６０３は、記憶部１０４に記憶されているテーブルを参照して、センサ部１６０１から入力された現在の加速度または地磁気の変化の検出結果より現在の歩行パターンを推定し、推定した歩行パターンに対応付けられている閾値を選択する。無線操作判定部１６０３は、無線制御部１６０４から入力された受信レベル情報と閾値との比較結果に基づいて、省電力モードを解除するか否かを判定する。無線操作判定部１６０３は、省電力モードを解除するか否かの判定結果を省電力制御部１０６に出力する。
【０１０３】
省電力制御部１０６は、所定時間内に無線制御部１６０４が動作していない場合に、無線制御部１６０４に対して省電力モードに移行する制御を行う。省電力制御部１０６は、省電力モードを解除する判定結果が無線操作判定部１６０３より入力された場合に、無線制御部１６０４に対して省電力モードを解除して通常モードに移行する制御を行う。省電力制御部１０６は、省電力モードを解除しない判定結果が無線操作判定部１６０３より入力された場合に、無線制御部１６０４に対して省電力モードを維持する制御を行う。
【０１０４】
無線制御部１６０４は、省電力制御部１０６の制御に従って、通常モードまたは省電力モードになる。無線制御部１６０４は、省電力モードから起動して通常モードに移行する。無線制御部１６０４は、通常モードにおいて、操作対象物を操作するためのコマンドを生成する。無線制御部１６０４は、生成したコマンドを学習部１６０２に出力するとともにアンテナ１０８を介して操作対象物に対して無線で送信する。これにより、携帯端末装置１６００は、操作対象物を操作することができる。
【０１０５】
無線制御部１６０４は、操作対象物の周辺の通信相手よりアンテナ１０８を介して信号を受信する。無線制御部１６０４は、通信相手より受信した受信信号の受信レベルを測定し、測定結果を受信レベル情報として無線操作判定部１６０３に出力する。
【０１０６】
なお、本実施の形態におけるテーブルは図９及び図１２と同一であるので、その説明を省略する。また、本実施の形態における省電力モードの解除のタイミングは、時間情報の代わりに歩行パターンを用いる以外は図１３及び図１４と同一であるので、その説明を省略する。
【０１０７】
＜実施の形態６の効果＞
本実施の形態では、歩行パターンと閾値とを対応付けたテーブルを参照して、現在の歩行パターンに対応付けられている閾値を選択し、選択した閾値と操作対象物の周辺の通信相手からの受信レベルとの比較結果に基づいて省電力モードを解除するか否かを判定する。これにより、本実施の形態によれば、操作対象物に対する操作を意図していない可能性が高い場合に省電力モードを解除し難くすることにより、省電力の効果を十分に得ることができる。
【０１０８】
＜全ての実施の形態に共通の変形例＞
上記実施の形態１〜実施の形態６において、歩数若しくは受信レベルと閾値とを比較したが、携帯端末装置の移動によって変化する歩数及び受信レベル以外のパラメータと閾値とを比較することができる。
【０１０９】
また、省電力制御のプログラムを、メモリ、ディスク、テープ、ＣＤ、ＤＶＤ等の機械読み取り可能な記録媒体に記録、書き込みをし、動作を行う場合についても、本発明は適用することができ、本実施の形態と同様の作用及び効果を得ることができる。
【０１１０】
また、上記実施の形態では、本発明をハードウェアで構成する場合を例にとって説明したが、本発明はソフトウェアで実現することも可能である。
【産業上の利用可能性】
【０１１１】
本発明にかかる携帯端末装置、省電力制御方法及びプログラムは、操作対象物を無線により操作するのに好適である。
【符号の説明】
【０１１２】
１００  携帯端末装置
１０１  時計部
１０２  センサ部
１０３  学習部
１０４  記憶部
１０５  無線操作判定部
１０６  省電力制御部
１０７  無線制御部
１０８  アンテナ
【図１】
2014168113.tif 000003
【図２】
2014168113.tif 000004
【図３】
2014168113.tif 000005
【図４】
2014168113.tif 000006
【図５】
2014168113.tif 000007
【図６】
2014168113.tif 000008
【図７】
2014168113.tif 000009
【図８】
2014168113.tif 000010
【図９】
2014168113.tif 000011
【図１０】
2014168113.tif 000012
【図１１】
2014168113.tif 000013
【図１２】
2014168113.tif 000014
【図１３】
2014168113.tif 000015
【図１４】
2014168113.tif 000016
【図１５】
2014168113.tif 000017
【図１６】
2014168113.tif 000018